(57)【要約】【課題】電極体が損傷するのを抑制することができる蓄電素子を提供する。【解決手段】電極体７００と、電極体７００の第一方向側に配置されるスペーサ８００と、容器１００とを備える蓄電素子１０であって、容器１００は、スペーサ８００の第一方向側に配置される短側壁部１１１と、短側壁部１１１に隣接し、かつ、第一方向と交差する第二方向で互いに対向する長側壁部１１３及び１１４と、を有し、電極体７００は、第一方向及び第二方向と交差する第三方向から見て、第一方向側に突出するように湾曲した電極体湾曲面７１１を有し、スペーサ８００は、短側壁部１１１と、長側壁部１１３及び長側壁部１１４の少なくとも一方とに当接して配置されるとともに、第三方向から見て、電極体湾曲面７１１のうちの長側壁部１１３に対向する位置から長側壁部１１４に対向する位置までに亘って、連続して電極体湾曲面７１１に当接して配置される。【選択図】図６
2020068124.tif 000002
【特許請求の範囲】
【請求項１】
電極体と、前記電極体の第一方向側に配置されるスペーサと、前記電極体及び前記スペーサを収容する容器とを備える蓄電素子であって、
前記容器は、前記スペーサの前記第一方向側に配置される第一壁部と、前記第一壁部に隣接し、かつ、前記第一方向と交差する第二方向で互いに対向する第二壁部及び第三壁部と、を有し、
前記電極体は、前記第一方向及び前記第二方向と交差する第三方向から見て、前記第一方向側に突出するように湾曲した湾曲面を有し、
前記スペーサは、
前記第一壁部と、前記第二壁部及び前記第三壁部の少なくとも一方とに当接して配置されるとともに、
前記第三方向から見て、前記湾曲面のうちの前記第二壁部に対向する位置から前記第三壁部に対向する位置までに亘って、連続して前記湾曲面に当接して配置される
蓄電素子。
【請求項２】
前記スペーサは、前記第三方向において、前記湾曲面に対向する部分の一端から他端までに亘って、連続して前記湾曲面に当接して配置される
請求項１に記載の蓄電素子。
【請求項３】
前記電極体は、前記第一方向における長さが、前記第三方向における長さよりも長い
請求項１または２に記載の蓄電素子。
【請求項４】
前記電極体は、前記湾曲面を有する本体部と、前記本体部の一部から前記第三方向に突出して配置され集電体に接続されるタブ部と、を有する
請求項１〜３のいずれか１項に記載の蓄電素子。
【請求項５】
前記スペーサは、前記第三方向から見て、前記湾曲面の５０％以上９０％以下の領域に連続して当接して配置される
請求項１〜４のいずれか１項に記載の蓄電素子。
【請求項６】
前記スペーサは、前記湾曲面との当接部分から前記第一方向とは反対方向に延設される延設部を有する
請求項１〜５のいずれか１項に記載の蓄電素子。
【請求項７】
前記スペーサには、前記第三方向に貫通した電解液の通液路が形成されている
請求項１〜６のいずれか１項に記載の蓄電素子。
【請求項８】
前記通液路は、前記第三方向から見て、前記湾曲面から放射状に延びる複数の貫通孔を有する
請求項７に記載の蓄電素子。
【発明の詳細な説明】
【技術分野】
【０００１】
本発明は、電極体と、電極体の側方に配置されるスペーサと、電極体及びスペーサを収容する容器とを備える蓄電素子に関する。
【背景技術】
【０００２】
従来、電極体と、電極体の側方に配置されるスペーサと、電極体及びスペーサを収容する容器とを備える蓄電素子が広く知られている。例えば、特許文献１には、電池ケース（容器）内に、電極組立体（電極体）と電池ケースとに接触する緩衝シート（スペーサ）を設けることで、緩衝シートが電極組立体を緩衝して、電極組立体に激しい衝撃が伝わることを防止する二次電池（蓄電素子）が開示されている。
【先行技術文献】
【特許文献】
【０００３】
【特許文献１】特開２０１１−８２１６２号公報
【発明の概要】
【発明が解決しようとする課題】
【０００４】
しかしながら、上記従来の蓄電素子では、電極体が損傷するおそれがある。つまり、本願発明者は、上記特許文献１に開示された蓄電素子は、巻回型の電極体を備えているが、巻回型の電極体は外面に湾曲面が設けられるため、電極体が膨張すると、当該湾曲面の端部（湾曲面と平坦面との境界部分）に応力が集中し、当該湾曲面の端部が損傷しやすいことを見出した。しかし、上記特許文献１に開示された蓄電素子のように、電極体と容器との間に緩衝シートを配置するだけでは、当該湾曲面の端部が損傷するのを抑制することができない。
【０００５】
本発明は、上記課題に新たに着目してなされたものであり、電極体が損傷するのを抑制することができる蓄電素子を提供することを目的とする。
【課題を解決するための手段】
【０００６】
上記目的を達成するために、本発明の一態様に係る蓄電素子は、電極体と、前記電極体の第一方向側に配置されるスペーサと、前記電極体及び前記スペーサを収容する容器とを備える蓄電素子であって、前記容器は、前記スペーサの前記第一方向側に配置される第一壁部と、前記第一壁部に隣接し、かつ、前記第一方向と交差する第二方向で互いに対向する第二壁部及び第三壁部と、を有し、前記電極体は、前記第一方向及び前記第二方向と交差する第三方向から見て、前記第一方向側に突出するように湾曲した湾曲面を有し、前記スペーサは、前記第一壁部と、前記第二壁部及び前記第三壁部の少なくとも一方とに当接して配置されるとともに、前記第三方向から見て、前記湾曲面のうちの前記第二壁部に対向する位置から前記第三壁部に対向する位置までに亘って、連続して前記湾曲面に当接して配置される。
【０００７】
これによれば、蓄電素子において、スペーサは、容器の第一壁部と、第二壁部及び第三壁部の少なくとも一方とに当接して配置されるとともに、第三方向から見て、電極体の湾曲面のうちの第二壁部に対向する位置から第三壁部に対向する位置までに亘って当接して配置されている。このように、電極体の湾曲面が、スペーサに、第二壁部に対向する位置から第三壁部に対向する位置までに亘って連続して当接しているため、電極体が膨張した場合に、スペーサの比較的広い面で当該湾曲面を押さえて、応力を分散させることができる。これにより、電極体の湾曲面の端部に応力が集中して当該湾曲面の端部が損傷するのを抑制することができるため、電極体が損傷するのを抑制することができる。
【０００８】
また、前記スペーサは、前記第三方向において、前記湾曲面に対向する部分の一端から他端までに亘って、連続して前記湾曲面に当接して配置されることにしてもよい。
【０００９】
これによれば、スペーサは、第三方向において、電極体の湾曲面に対向する部分の一端から他端までに亘って、当該湾曲面に当接して配置されている。このように、スペーサが、当該湾曲面に対向する部分の一端から他端までに亘って当該湾曲面に連続して当接していることで、スペーサのさらに広い面で当該湾曲面を押さえて、応力を分散させることができる。これにより、電極体の湾曲面の端部に応力が集中して当該湾曲面の端部が損傷するのをさらに抑制することができるため、電極体が損傷するのをさらに抑制することができる。
【００１０】
また、前記電極体は、前記第一方向における長さが、前記第三方向における長さよりも長いことにしてもよい。
【００１１】
これによれば、電極体は、第一方向（湾曲面の突出方向）における長さが、第三方向における長さよりも長く形成されている。このように、電極体において、第一方向における長さが長いことで、第一方向に向けて大きな応力が生じるため、スペーサによって第一方向に向く当該応力を分散させることによる効果は大きい。これにより、電極体が膨張して、第一方向に大きな応力が生じても、スペーサによって当該応力を分散させることができるため、電極体が損傷するのを抑制することができる。
【００１２】
また、前記電極体は、前記湾曲面を有する本体部と、前記本体部の一部から前記第三方向に突出して配置され集電体に接続されるタブ部と、を有することにしてもよい。
【００１３】
これによれば、電極体は、本体部に湾曲面が形成されて、本体部から突出するタブ部に集電体が接続される構成を有している。ここで、例えば、電極体の湾曲面の端部が活物質層非形成部となって集電体が接続される構成の電極体の場合、当該湾曲面が凹んだりして変形しやすいため、当該湾曲面にスペーサを密着させるのが困難である。このため、電極体の本体部に湾曲面が形成されて、電極体のタブ部に集電体が接続される構成にすることで、電極体に集電体が接続されても湾曲面が変形しにくく、当該湾曲面をスペーサに密着して当接させやすい。これにより、スペーサで湾曲面を押さえやすいため、湾曲面の端部に応力が集中するのを抑制して、当該端部が損傷するのを抑制することができ、電極体が損傷するのを抑制することができる。
【００１４】
また、前記スペーサは、前記第三方向から見て、前記湾曲面の５０％以上９０％以下の領域に連続して当接して配置されることにしてもよい。
【００１５】
これによれば、スペーサは、第三方向から見て、電極体の湾曲面の５０％以上９０％以下の領域に連続して当接して配置される。このように、スペーサを、電極体の湾曲面の５０％以上の領域に当接して配置することで、スペーサの比較的広い面で当該湾曲面を押さえることができるため、電極体が膨張しても、応力を分散させることができる。また、スペーサの当該湾曲面との接触領域を大きくし過ぎると、スペーサの先端が尖ってしまい電極体を損傷させるおそれがあるため、スペーサを、電極体の湾曲面の９０％以下の領域に当接するように形成する。これらにより、電極体が損傷するのを抑制することができる。
【００１６】
また、前記スペーサは、前記湾曲面との当接部分から前記第一方向とは反対方向に延設される延設部を有することにしてもよい。
【００１７】
これによれば、スペーサは、電極体の湾曲面との当接部分から第一方向（湾曲面の突出方向）とは反対方向に延設される延設部を有しているため、電極体が膨張した場合でも、電極体からの応力を延設部で受けることができる。これにより、電極体からの応力を延設部にも分散させることができるため、電極体が損傷するのを抑制することができる。
【００１８】
また、前記スペーサには、前記第三方向に貫通した電解液の通液路が形成されていることにしてもよい。
【００１９】
これによれば、スペーサに、第三方向に貫通した電解液の通液路を形成する。つまり、スペーサを、容器の３つの壁部と電極体の湾曲面とに当接させて配置すると、電解液がスペーサを通過できずに、電解液の通液性が悪くなるおそれがあるため、スペーサに、電解液の通液路を形成する。これにより、電解液の通液性を向上させることができる。
【００２０】
また、前記通液路は、前記第三方向から見て、前記湾曲面から放射状に延びる複数の貫通孔を有することにしてもよい。
【００２１】
これによれば、スペーサに形成した電解液の通液路は、電極体の湾曲面から放射状に延びる複数の貫通孔を有している。つまり、スペーサに電解液の通液路を形成すると、当該通液路の部分においては、電極体が膨張した際の応力をスペーサで十分に受けることができなくなるおそれがある。特に、電極体が膨張した際の応力は湾曲面から放射状に広がるため、当該通液路として、電極体の湾曲面に沿うなど湾曲面から放射状でない方向に延びる貫通孔を形成すると、当該応力を十分に受けることができなくなる領域が大きくなる。これに対し、当該湾曲面から放射状に延びる複数の貫通孔を形成することで、当該応力に対する強度を高めることができる。このため、当該通液路として、湾曲面から放射状に延びる複数の貫通孔を形成する。これにより、電極体が膨張しても、スペーサで応力を受けて当該応力を分散させることができるため、電解液の通液性を向上させつつ、電極体が損傷するのを抑制することができる。
【００２２】
なお、本発明は、このような蓄電素子として実現することができるだけでなく、当該蓄電素子が備えるスペーサとしても実現することができる。
【発明の効果】
【００２３】
本発明に係る蓄電素子によれば、電極体が損傷するのを抑制することができる。
【図面の簡単な説明】
【００２４】
【図１】実施の形態に係る蓄電素子の外観を示す斜視図である。
【図２】実施の形態に係る蓄電素子を分解して各構成要素を示す分解斜視図である。
【図３】実施の形態に係る電極体の構成を示す斜視図である。
【図４】実施の形態に係るスペーサの構成を示す斜視図及び断面図である。
【図５】実施の形態に係るスペーサと電極体と容器の容器本体との位置関係を示す斜視図である。
【図６】実施の形態に係るスペーサと電極体と容器の容器本体との位置関係を示す断面図である。
【図７】実施の形態に係るスペーサと電極体と容器の容器本体との位置関係を示す断面図である。
【図８】実施の形態の変形例に係るスペーサの構成を示す斜視図及び断面図である。
【発明を実施するための形態】
【００２５】
以下、図面を参照しながら、本発明の実施の形態（及びその変形例）に係る蓄電素子について説明する。なお、以下で説明する実施の形態は、いずれも包括的または具体的な例を示すものである。以下の実施の形態で示される数値、形状、材料、構成要素、構成要素の配置位置及び接続形態、製造工程、製造工程の順序等は、一例であり、本発明を限定する主旨ではない。また、以下の実施の形態における構成要素のうち、最上位概念を示す独立請求項に記載されていない構成要素については、任意の構成要素として説明される。また、各図において、寸法等は厳密に図示したものではない。
【００２６】
また、以下の説明及び図面中において、蓄電素子が有する一対（正極側及び負極側）の電極端子の並び方向、一対の集電体の並び方向、電極体が有する一対のタブ部の並び方向、一対のスペーサの並び方向、または、容器の短側面の対向方向をＸ軸方向と定義する。容器の長側面の対向方向、容器の短側面の短手方向、または、容器の厚さ方向をＹ軸方向と定義する。電極端子と集電体と電極体との並び方向、蓄電素子の容器本体と蓋体との並び方向、容器の短側面の長手方向、電極体の巻回軸方向、スペーサの延設方向、または、上下方向をＺ軸方向と定義する。これらＸ軸方向、Ｙ軸方向及びＺ軸方向は、互いに交差（本実施の形態では直交）する方向である。なお、使用態様によってはＺ軸方向が上下方向にならない場合も考えられるが、以下では説明の便宜のため、Ｚ軸方向を上下方向として説明する。また、以下の説明において、例えば、Ｘ軸プラス方向とは、Ｘ軸の矢印方向を示し、Ｘ軸マイナス方向とは、Ｘ軸プラス方向とは反対方向を示す。Ｙ軸方向及びＺ軸方向についても同様である。さらに、以下では、Ｘ軸方向（またはＸ軸マイナス方向）を第一方向とも呼び、Ｙ軸方向を第二方向とも呼び、Ｚ軸方向（またはＺ軸プラス方向）を第三方向とも呼ぶこととする。
【００２７】
（実施の形態）
［１  蓄電素子１０の全般的な説明］
まず、本実施の形態における蓄電素子１０の全般的な説明を行う。図１は、本実施の形態に係る蓄電素子１０の外観を示す斜視図である。図２は、本実施の形態に係る蓄電素子１０を分解して各構成要素を示す分解斜視図である。
【００２８】
蓄電素子１０は、電気を充電し、また、電気を放電することのできる二次電池であり、具体的には、リチウムイオン二次電池等の非水電解質二次電池である。蓄電素子１０は、例えば、電気自動車（ＥＶ）、ハイブリッド電気自動車（ＨＥＶ）若しくはプラグインハイブリッド電気自動車（ＰＨＥＶ）等の自動車、自動二輪車、ウォータークラフト、スノーモービル、農業機械、建設機械、または、電車、モノレール若しくはリニアモーターカー等の電気鉄道用の鉄道車両等の移動体の駆動用またはエンジン始動用のバッテリ等として用いられる。
【００２９】
なお、蓄電素子１０は、非水電解質二次電池には限定されず、非水電解質二次電池以外の二次電池であってもよいし、キャパシタであってもよい。また、蓄電素子１０は、二次電池ではなく、使用者が充電をしなくても蓄えられている電気を使用できる一次電池であってもよい。また、本実施の形態では、直方体形状（角形）の蓄電素子１０を図示しているが、蓄電素子１０の形状は、直方体形状には限定されず、直方体形状以外の多角柱形状、長円柱形状等であってもよいし、ラミネート型の蓄電素子とすることもできる。
【００３０】
図１に示すように、蓄電素子１０は、容器１００と、一対（正極側及び負極側）の電極端子２００と、一対（正極側及び負極側）の上部ガスケット３００とを備えている。また、図２に示すように、容器１００の内方には、一対（正極側及び負極側）の下部ガスケット４００と、一対（正極側及び負極側）の集電体５００と、緩衝シート６００と、電極体７００と、一対（正極側及び負極側）のスペーサ８００とが収容されている。また、容器１００の内部には、電解液（非水電解質）が封入されているが、省略して図示している。当該電解液としては、蓄電素子１０の性能を損なうものでなければその種類に特に制限はなく、様々なものを選択することができる。また、上記の構成要素の他、電極体７００の上方に配置されるスペーサ、または、電極体７００等を包み込む絶縁フィルム等が配置されていてもよい。
【００３１】
容器１００は、開口が形成された容器本体１１０と、容器本体１１０の当該開口を閉塞する蓋体１２０とを有する直方体形状（箱形）のケースである。このような構成により、容器１００は、電極体７００等を容器本体１１０の内部に収容後、容器本体１１０と蓋体１２０とが溶接等されることにより、内部を密封することができる構造となっている。なお、容器本体１１０及び蓋体１２０の材質は特に限定されないが、例えばステンレス鋼、アルミニウム、アルミニウム合金、鉄、メッキ鋼板など溶接可能な金属であるのが好ましい。
【００３２】
容器本体１１０は、容器１００の本体部を構成する矩形筒状で底を備える部材であり、Ｚ軸プラス方向側に開口が形成されている。つまり、容器本体１１０は、Ｘ軸方向両側の側面に一対の短側壁部１１１、１１２を有し、Ｙ軸方向両側の側面に一対の長側壁部１１３、１１４を有し、Ｚ軸マイナス方向側に底壁部１１５を有している。短側壁部１１１、１１２は、容器１００の短側面を形成する矩形状かつ平板状の壁部であり、長側壁部１１３、１１４は、容器１００の長側面を形成する矩形状かつ平板状の壁部であり、底壁部１１５は、容器１００の底面を形成する矩形状かつ平板状の壁部である。なお、短側壁部１１１または１１２は、第一壁部の一例であり、長側壁部１１３及び１１４は、第一壁部に隣接し、かつ、Ｙ軸方向（第二方向）で互いに対向する第二壁部及び第三壁部の一例である。
【００３３】
蓋体１２０は、容器１００の蓋部を構成する矩形状の板状部材であり、容器本体１１０のＺ軸プラス方向側にＸ軸方向に延設されて配置されている。また、蓋体１２０には、容器１００内部に電解液を注入するための円形状の貫通孔である注液口１２１が形成され、蓋体１２０の注液口１２１の位置には、注液口１２１を塞ぐ注液栓１３０が配置されている。さらに、蓋体１２０には、容器１００の内圧が上昇したときに容器１００内部のガスを排出するガス排出弁１２２が配置されている。
【００３４】
電極体７００は、正極板と負極板とセパレータとを備え、電気を蓄えることができる蓄電要素（発電要素）である。具体的には、電極体７００は、正極板と負極板との間にセパレータが挟み込まれるように層状に配置されたものが巻回されて形成されている。これにより、正極板の複数のタブが積層されて正極側のタブ部７２０が形成され、負極板の複数のタブが積層されて負極側のタブ部７３０が形成されている。つまり、電極体７００は、電極体本体部７１０と、電極体本体部７１０の一部からＺ軸プラス方向（第三方向）に突出してＹ軸プラス方向に延びるタブ部７２０及び７３０とを有している。なお、本実施の形態では、電極体７００の断面形状として長円形状を図示しているが、楕円形状などでもよい。この電極体７００の構成の詳細な説明については、後述する。
【００３５】
電極端子２００は、集電体５００を介して、電極体７００に電気的に接続される電極端子である。電極端子２００は、かしめ等によって、集電体５００に接続され、かつ、蓋体１２０に取り付けられている。具体的には、電極端子２００は、下方（Ｚ軸マイナス方向）に延びる軸部２０１（リベット部）を有している。そして、軸部２０１が、上部ガスケット３００の貫通孔３０１と、蓋体１２０の貫通孔１２３と、下部ガスケット４００の貫通孔４０１と、集電体５００の貫通孔５０１とに挿入されて、かしめられる。これにより、電極端子２００は、上部ガスケット３００、下部ガスケット４００及び集電体５００とともに、蓋体１２０に固定される。なお、電極端子２００は、アルミニウム、アルミニウム合金、銅または銅合金等の金属等の導電部材で形成されている。
【００３６】
集電体５００は、電極体７００と電極端子２００とを電気的に接続する矩形状かつ平板状の部材である。具体的には、正極側の集電体５００は、電極体７００の正極側のタブ部７２０と溶接等により接続（接合）されるとともに、上述の通り、正極側の電極端子２００とかしめ等により接合される。負極側についても同様である。集電体５００は、アルミニウム、アルミニウム合金、銅または銅合金等の金属等の導電部材で形成されている。なお、集電体５００と電極端子２００とを接続（接合）する手法は、かしめ接合には限定されず、超音波接合、レーザ溶接、抵抗溶接等の溶接、または、ねじ締結等のかしめ以外の機械的接合等が用いられてもよい。また、集電体５００とタブ部７２０、７３０とを接続（接合）する手法は、超音波接合、レーザ溶接、抵抗溶接等、どのような溶接が用いられてもよいし、かしめ接合やねじ締結等の機械的接合等が用いられてもよい。
【００３７】
スペーサ８００は、電極体７００のＸ軸方向（第一方向）の両側面と容器１００の内面との間に、Ｚ軸方向に延設されて配置され、容器１００内における電極体７００の位置を規制する柱状のサイドスペーサである。スペーサ８００は、例えば、ポリプロピレン（ＰＰ）、ポリエチレン（ＰＥ）、ポリフェニレンサルファイド樹脂（ＰＰＳ）、ポリエチレンテレフタラート（ＰＥＴ）、ポリエーテルエーテルケトン（ＰＥＥＫ）、テトラフルオロエチレン・パーフルオロアルキルビニルエーテル（ＰＦＡ）、ポリテトラフルオロエチレン（ＰＴＦＥ）、ポリブチレンテレフタレート（ＰＢＴ）、ポリエーテルサルフォン（ＰＥＳ）、及び、それらの複合材料等の樹脂等によって形成されている。このスペーサ８００の構成の詳細な説明については、後述する。
【００３８】
上部ガスケット３００は、容器１００の蓋体１２０と電極端子２００との間に配置された、平板状の絶縁性の封止部材である。下部ガスケット４００は、蓋体１２０と集電体５００との間に配置された、平板状の絶縁性の封止部材である。なお、上部ガスケット３００及び下部ガスケット４００は、例えばスペーサ８００と同様に、ＰＰ、ＰＥ、ＰＰＳ等の絶縁性を有する素材によって形成されている。緩衝シート６００は、発泡ポリエチレン等の、柔軟性の高い多孔質の素材で形成されており、電極体７００を保護する緩衝材として機能する部材である。
【００３９】
［２  電極体７００の構成の説明］
次に、電極体７００の構成について、詳細に説明する。図３は、本実施の形態に係る電極体７００の構成を示す斜視図である。具体的には、図３の（ａ）は、図２に示した電極体７００の巻回状態を一部展開した状態での構成を示し、図３の（ｂ）は、巻回後の電極体７００を拡大して示している。
【００４０】
図３の（ａ）に示すように、電極体７００は、正極板７４０及び負極板７５０と、セパレータ７６０ａ及び７６０ｂとが交互に積層されかつ巻回されることで形成されている。つまり、電極体７００は、正極板７４０と、セパレータ７６０ａと、負極板７５０と、セパレータ７６０ｂとがこの順に積層され、巻回されることで形成されている。
【００４１】
正極板７４０は、アルミニウムまたはアルミニウム合金などからなる長尺帯状の金属箔である正極基材層の表面に、正極活物質層が形成された極板（電極板）である。負極板７５０は、銅または銅合金などからなる長尺帯状の金属箔である負極基材層の表面に、負極活物質層が形成された極板（電極板）である。なお、正極活物質層に用いられる正極活物質、及び、負極活物質層に用いられる負極活物質としては、リチウムイオンを吸蔵放出可能な正極活物質及び負極活物質であれば、適宜公知の材料を使用できる。セパレータ７６０ａ及び７６０ｂは、樹脂からなる微多孔性のシートである。なお、セパレータ７６０ａ及び７６０ｂの素材としては、蓄電素子１０の性能を損なうものでなければ、適宜公知の材料を使用できる。
【００４２】
ここで、正極板７４０は、巻回軸方向の一端において外方に突出する複数の矩形状のタブ７４１を有している。負極板７５０も同様に、巻回軸方向の一端において外方に突出する複数の矩形状のタブ７５１を有している。これら、複数のタブ７４１及び複数のタブ７５１は、活物質層が形成されず（活物質が塗工されず）基材層が露出した部分（活物質層非形成部または活物質未塗工部）である。なお、タブ７４１及び７５１の形状は、特に限定されず、例えば、矩形状以外の多角形状、半円形状、半長円形状、半楕円形状等であってもよく、また、全てのタブが同じ形状を有していなくてもよい。また、巻回軸とは、正極板７４０及び負極板７５０等を巻回する際の中心軸となる仮想的な軸であり、本実施の形態では、電極体７００の中心を通る、Ｚ軸方向に平行な直線である。
【００４３】
そして、複数のタブ７４１と複数のタブ７５１とは、巻回軸方向の同一側の端（図３では、Ｚ軸プラス方向側の端）に配置され、正極板７４０及び負極板７５０が積層されることにより、電極体７００の所定の位置で積層される。その結果、図３の（ｂ）に示すように、電極体７００には、複数のタブ７４１が積層されることで形成されたタブ部７２０と、複数のタブ７５１が積層されることで形成されたタブ部７３０とが形成される。タブ部７２０及び７３０は、例えば積層方向（図３ではＹ軸方向）の中央に向かって寄せ集められて、集電体５００と溶接等により接合される。
【００４４】
ここで、タブ部７２０及び７３０は、集電体５００と接合される際には、図３の（ｂ）に示すように、Ｙ軸プラス方向に折り曲げられる。具体的には、タブ部７２０及び７３０は、電極体本体部７１０の一部からＺ軸プラス方向に突出した状態で集電体５００と接合され、接合後に、Ｙ軸プラス方向に折り曲げられて、Ｙ軸プラス方向に延設された状態となる。このため、当該接合後においては、タブ部７２０及び７３０は、電極体本体部７１０の一部からＺ軸プラス方向に突出してＹ軸プラス方向に延びる複数のタブ７４１、７５１がＺ軸方向に積層された部位となる。なお、タブ部７２０及び７３０は、集電体５００との接合後においても折り曲げられない構成でもよい。
【００４５】
電極体本体部７１０は、電極体７００の本体を構成する部位であり、具体的には、電極体７００のうちのタブ部７２０及び７３０以外（タブ７４１及び７５１以外）の部位である。つまり、電極体本体部７１０は、正極板７４０及び負極板７５０の活物質層が形成（活物質が塗工）された部分とセパレータ７６０ａ、７６０ｂとが巻回されて形成された長円筒形状の部位（活物質層形成部または活物質塗工部）である。これにより、電極体本体部７１０は、Ｘ軸方向両側に一対の電極体湾曲面７１１及び７１２を有し、Ｙ軸方向両側に一対の電極体平坦面７１３及び７１４を有することとなる。
【００４６】
電極体湾曲面７１１は、Ｚ軸方向から見てＸ軸マイナス方向側に突出するように半円の円弧形状に湾曲し、Ｚ軸方向に延設された湾曲面であり、容器１００の容器本体１１０の短側壁部１１１と、長側壁部１１３及び１１４のＸ軸マイナス方向側の端部とに対向して配置される。電極体湾曲面７１２は、Ｚ軸方向から見てＸ軸プラス方向側に突出するように半円の円弧形状に湾曲し、Ｚ軸方向に延設された湾曲面であり、容器本体１１０の短側壁部１１２と、長側壁部１１３及び１１４のＸ軸プラス方向側の端部とに対向して配置される。電極体平坦面７１３は、Ｙ軸プラス方向に向いたＸＺ平面に平行に広がる矩形状の平坦面であり、容器本体１１０の長側壁部１１３に対向して配置される。電極体平坦面７１４は、Ｙ軸マイナス方向に向いたＸＺ平面に平行に広がる矩形状の平坦面であり、容器本体１１０の長側壁部１１４に対向して配置される。
【００４７】
また、電極体７００は、Ｘ軸方向（第一方向）における長さが、Ｚ軸方向（第三方向）における長さよりも長くなるように形成されている。つまり、電極体湾曲面７１１及び７１２の間の距離（最大距離）が、電極体湾曲面７１１、７１２のＺ軸方向の長さよりも長く形成されている。この場合、電極体平坦面７１３、７１４のＸ軸方向の長さは、電極体平坦面７１３、７１４のＺ軸方向の長さよりも短く形成されていてもよいが当該Ｚ軸方向の長さよりも長く形成されているのが好ましい。
【００４８】
［３  スペーサ８００の構成の説明］
次に、スペーサ８００の構成について、詳細に説明する。図４は、本実施の形態に係るスペーサ８００の構成を示す斜視図及び断面図である。具体的には、図４の（ａ）は、図２に示したＸ軸マイナス方向側のスペーサ８００を拡大して示す拡大斜視図であり、図４の（ｂ）は、図４の（ａ）のスペーサ８００をＩＶｂ−ＩＶｂ断面で切断した場合の構成を示す断面図である。なお、図２において、Ｘ軸プラス方向側のスペーサ８００とＸ軸マイナス方向側のスペーサ８００とは、同様の構成を有しているため、Ｘ軸プラス方向側のスペーサ８００についての説明は、省略する。
【００４９】
図４の（ａ）に示すように、スペーサ８００は、スペーサ本体部８１０と、スペーサ端部８２０とを有している。スペーサ本体部８１０は、Ｘ軸プラス方向側の面がＸ軸マイナス方向に向けて湾曲状に凹んだ形状を有するＺ軸方向に延設された柱状の部位であり、電極体７００のＸ軸マイナス方向側に配置される。スペーサ端部８２０は、スペーサ８００のＺ軸プラス方向側の端部に位置する矩形状かつ板状の壁部であり、電極体７００のＸ軸マイナス方向側の端部のＺ軸プラス方向側に配置される。
【００５０】
ここで、図４の（ｂ）に示すように、スペーサ本体部８１０は、スペーサ湾曲面８１１と、スペーサ第一面８１２と、スペーサ第二面８１３と、スペーサ第三面８１４と、スペーサ角部８１５とを有している。
【００５１】
スペーサ湾曲面８１１は、スペーサ本体部８１０のＸ軸プラス方向側の側面であって、Ｚ軸方向から見てＸ軸マイナス方向側に突出するように半円の円弧形状に湾曲し、Ｚ軸方向に延設された湾曲面である。スペーサ第一面８１２は、スペーサ本体部８１０のＸ軸マイナス方向側の側面であって、ＹＺ平面に平行かつＺ軸方向に延設された平坦面（平面）である。スペーサ第二面８１３は、スペーサ本体部８１０のＹ軸プラス方向側の側面であって、ＸＺ平面に平行かつＺ軸方向に延設された平坦面（平面）である。スペーサ第三面８１４は、スペーサ本体部８１０のＹ軸マイナス方向側の側面であって、ＸＺ平面に平行かつＺ軸方向に延設された平坦面（平面）である。
【００５２】
スペーサ角部８１５は、スペーサ第一面８１２とスペーサ第二面８１３との間、及び、スペーサ第一面８１２とスペーサ第三面８１４との間に配置されるスペーサ本体部８１０の角部である。本実施の形態では、スペーサ角部８１５は、丸まった（湾曲した）形状を有している。
【００５３】
次に、スペーサ８００の蓄電素子１０内での配置位置（具体的には、スペーサ８００と電極体７００と容器１００の容器本体１１０との位置関係）について、詳細に説明する。なお、図２において、Ｘ軸プラス方向側のスペーサ８００周囲の構成と、Ｘ軸マイナス方向側のスペーサ８００周囲の構成とは、同様の構成を有している。このため、以下では、Ｘ軸マイナス方向側のスペーサ８００周囲の構成について説明し、Ｘ軸プラス方向側のスペーサ８００周囲の構成については、説明を省略する。
【００５４】
図５は、本実施の形態に係るスペーサ８００と電極体７００と容器１００の容器本体１１０との位置関係を示す斜視図である。具体的には、図５は、図１に示された蓄電素子１０においてスペーサ８００、電極体７００及び容器本体１１０以外の構成要素を非表示にして示す斜視図である。図６及び図７は、本実施の形態に係るスペーサ８００と電極体７００と容器１００の容器本体１１０との位置関係を示す断面図である。具体的には、図６は、図５に示された構成をＶＩ−ＶＩ断面で切断した場合の構成を示す断面図であり、図７は、図５に示された構成をＶＩＩ−ＶＩＩ断面で切断した場合の構成を示す断面図である。
【００５５】
これらの図（特に図６）に示すように、スペーサ８００のスペーサ本体部８１０は、電極体７００の電極体本体部７１０のＸ軸マイナス方向側（第一方向側）に配置されている。また、短側壁部１１１（第一壁部）は、スペーサ８００のスペーサ本体部８１０のＸ軸マイナス方向側（第一方向側）に配置されている。また、長側壁部１１３（第二壁部）及び長側壁部１１４（第三壁部）は、短側壁部１１１（第一壁部）に隣接し、かつ、Ｙ軸方向（第二方向）で互いに対向して配置されている。そして、スペーサ８００は、短側壁部１１１（第一壁部）、長側壁部１１３（第二壁部）及び長側壁部１１４（第三壁部）に当接して配置されている。さらに、電極体本体部７１０の電極体湾曲面７１１は、Ｚ軸方向（第三方向）から見て、Ｘ軸マイナス方向側（第一方向側）に突出するように湾曲した形状を有している。
【００５６】
なお、スペーサ８００は、短側壁部１１１（第一壁部）と、長側壁部１１３（第二壁部）及び長側壁部１１４（第三壁部）の少なくとも一方とに当接して配置されていればよい。つまり、スペーサ８００は、長側壁部１１３または長側壁部１１４に当接していなくてもよい。例えば、スペーサ８００は、蓄電素子１０の製造時には、長側壁部１１３に当接しておらず、電極体７００が膨張することで、長側壁部１１３に当接することにしてもよい。長側壁部１１４についても同様である。
【００５７】
そして、スペーサ湾曲面８１１は、電極体湾曲面７１１に対向し、かつ、電極体湾曲面７１１に当接して配置されている。具体的には、スペーサ湾曲面８１１は、Ｚ軸方向（第三方向）から見て、電極体湾曲面７１１のうちの長側壁部１１３（第二壁部）に対向する位置から長側壁部１１４（第三壁部）に対向する位置までに亘って、連続して電極体湾曲面７１１に当接して配置されている。つまり、スペーサ湾曲面８１１は、長側壁部１１３に対向する位置Ｐ１から、長側壁部１１４に対向する位置Ｐ２までに亘って、連続して電極体湾曲面７１１に当接して配置されている。
【００５８】
ここで、スペーサ湾曲面８１１は、Ｚ軸方向（第三方向）から見て、電極体湾曲面７１１の１／２（５０％）以上の領域に連続して当接して配置されているのが好ましく、２／３以上の領域に連続して当接して配置されているのがより好ましく、３／４以上の領域に連続して当接して配置されているのがさらに好ましい。電極体７００が膨張した場合に生じる応力をスペーサ８００が分散して受けるためには、スペーサ湾曲面８１１が電極体湾曲面７１１の広い領域に当接して配置されるのが好ましいからである。
【００５９】
また、スペーサ湾曲面８１１は、Ｚ軸方向（第三方向）から見て、電極体湾曲面７１１の９０％以下の領域に連続して当接して配置されているのが好ましく、８５％以下の領域に連続して当接して配置されているのがより好ましく、８０％以下の領域に連続して当接して配置されているのがさらに好ましい。スペーサ湾曲面８１１が電極体湾曲面７１１の多くの領域に当接するようにスペーサ湾曲面８１１の端部を延ばし過ぎると、スペーサ本体部８１０の端部が尖った形状になり、電極体７００を損傷させるおそれがある。このため、スペーサ湾曲面８１１は、電極体湾曲面７１１の広すぎない領域に当接するように形成されるのが好ましいからである。
【００６０】
このような構成により、スペーサ８００は、電極体湾曲面７１１との当接部分よりもＸ軸プラス方向側においては、Ｘ軸プラス方向に向かうに従って電極体７００から遠ざかる形状を有している。つまり、スペーサ８００は、電極体湾曲面７１１との当接部分からＸ軸プラス方向（第一方向とは反対方向）に延設されるスペーサ延設部８１６、８１７を有している。
【００６１】
スペーサ延設部８１６は、長側壁部１１３と電極体湾曲面７１１との間に配置され、長側壁部１１３に当接するとともに、Ｘ軸プラス方向に向かうに従って電極体湾曲面７１１から徐々に離間する部位である。つまり、スペーサ延設部８１６は、Ｙ軸プラス方向側の面はＸＺ平面に平行に延び、Ｙ軸マイナス方向側の面はＸＺ平面に対してＹ軸方向に傾斜した、ＸＹ平面における断面形状が略三角形状の部位である。スペーサ延設部８１７は、長側壁部１１４と電極体湾曲面７１１との間に配置され、長側壁部１１４に当接するとともに、Ｘ軸プラス方向に向かうに従って電極体湾曲面７１１から徐々に離間する部位である。つまり、スペーサ延設部８１７は、Ｙ軸マイナス方向側の面はＸＺ平面に平行に延び、Ｙ軸プラス方向側の面はＸＺ平面に対してＹ軸方向に傾斜した、ＸＹ平面における断面形状が略三角形状の部位である。
【００６２】
また、図７に示すように、スペーサ湾曲面８１１は、Ｚ軸方向（第三方向）において、電極体湾曲面７１１に対向する部分の一端から他端までに亘って、連続して電極体湾曲面７１１に当接して配置されている。つまり、スペーサ湾曲面８１１は、Ｚ軸方向において、電極体湾曲面７１１と同じ長さであるため、スペーサ湾曲面８１１のＺ軸方向における一端から他端までの全部が、電極体湾曲面７１１のＺ軸方向における一端から他端までの全部と当接して配置される。なお、スペーサ湾曲面８１１が、Ｚ軸方向において、電極体湾曲面７１１よりも短い場合には、スペーサ湾曲面８１１のＺ軸方向における一端から他端までの全部と、電極体湾曲面７１１のＺ軸方向における一端から他端までの一部とが、当接することになる。また、スペーサ湾曲面８１１が、Ｚ軸方向において、電極体湾曲面７１１よりも長い場合には、スペーサ湾曲面８１１のＺ軸方向における一端から他端までの一部と、電極体湾曲面７１１のＺ軸方向における一端から他端までの全部とが、当接することになる。
【００６３】
スペーサ第一面８１２は、容器１００の容器本体１１０の短側壁部１１１に対向し、かつ、短側壁部１１１に当接して配置されている。本実施の形態では、スペーサ第一面８１２は、全面が短側壁部１１１に当接して配置されている。つまり、スペーサ第一面８１２は、Ｙ軸方向において、短側壁部１１１に対向する部分の一端から他端までに亘って、連続して短側壁部１１１に当接して配置されている。さらに、スペーサ第一面８１２は、Ｚ軸方向において、短側壁部１１１に対向する部分の一端から他端までに亘って、連続して短側壁部１１１に当接して配置されている。
【００６４】
スペーサ第二面８１３は、容器本体１１０の長側壁部１１３に対向し、かつ、長側壁部１１３に当接して配置されている。本実施の形態では、スペーサ第二面８１３は、全面が長側壁部１１３に当接して配置されている。つまり、スペーサ第二面８１３は、Ｘ軸方向において、長側壁部１１３に対向する部分の一端から他端までに亘って、連続して長側壁部１１３に当接して配置されている。さらに、スペーサ第二面８１３は、Ｚ軸方向において、長側壁部１１３に対向する部分の一端から他端までに亘って、連続して長側壁部１１３に当接して配置されている。
【００６５】
スペーサ第三面８１４は、容器本体１１０の長側壁部１１４に対向し、かつ、長側壁部１１４に当接して配置されている。本実施の形態では、スペーサ第三面８１４は、全面が長側壁部１１４に当接して配置されている。つまり、スペーサ第三面８１４は、Ｘ軸方向において、長側壁部１１４に対向する部分の一端から他端までに亘って、連続して長側壁部１１４に当接して配置されている。さらに、スペーサ第三面８１４は、Ｚ軸方向において、長側壁部１１４に対向する部分の一端から他端までに亘って、連続して長側壁部１１４に当接して配置されている。
【００６６】
スペーサ角部８１５は、容器１００の容器本体１１０の角部である容器角部１１６（図６参照）に対向して配置されている。本実施の形態では、スペーサ角部８１５は、容器角部１１６に当接していない。つまり、スペーサ角部８１５は、Ｚ軸方向において、容器角部１１６に対向する部分の一端から他端までに亘って、容器角部１１６に当接していない。なお、スペーサ角部８１５は、角面等に面取りした形状または凹んだ形状等、どのような形状を有していてもよい。また、スペーサ角部８１５は、全部または一部が、容器角部１１６に当接して配置されていてもよい。
【００６７】
また、スペーサ端部８２０は、電極体７００のＸ軸マイナス方向側の端部のＺ軸プラス方向側に当接して配置されている。
【００６８】
［４  効果の説明］
以上のように、本発明の実施の形態に係る蓄電素子１０によれば、スペーサ８００は、容器１００の第一壁部（短側壁部１１１または１１２）と第二壁部及び第三壁部（長側壁部１１３及び１１４）の少なくとも一方とに当接して配置されている。また、スペーサ８００は、第三方向（Ｚ軸方向）から見て、電極体７００の湾曲面（電極体湾曲面７１１または７１２）のうちの第二壁部に対向する位置から第三壁部に対向する位置までに亘って当接して配置されている。このように、電極体７００の湾曲面が、スペーサ８００に、第二壁部に対向する位置から第三壁部に対向する位置までに亘って連続して当接しているため、電極体７００が膨張した場合に、スペーサ８００の比較的広い面で当該湾曲面を押さえて、応力を分散させることができる。これにより、電極体７００の湾曲面の端部（電極体湾曲面７１１または７１２と電極体平坦面７１３または７１４との境界部分）に応力が集中して当該湾曲面の端部が損傷するのを抑制することができるため、電極体７００が損傷するのを抑制することができる。
【００６９】
また、スペーサ８００は、第三方向において、電極体７００の湾曲面に対向する部分の一端から他端までに亘って、当該湾曲面に当接して配置されている。このように、スペーサ８００が、当該湾曲面に対向する部分の一端から他端までに亘って当該湾曲面に連続して当接していることで、スペーサ８００のさらに広い面で当該湾曲面を押さえて、応力を分散させることができる。これにより、電極体７００の湾曲面の端部に応力が集中して当該湾曲面の端部が損傷するのをさらに抑制することができるため、電極体７００が損傷するのをさらに抑制することができる。
【００７０】
また、電極体７００は、第一方向（Ｘ軸方向、湾曲面の突出方向）における長さが、第三方向における長さよりも長く形成されている。具体的には、電極体湾曲面７１１及び７１２の間の距離（最大距離）が、電極体湾曲面７１１、７１２のＺ軸方向の長さよりも長く形成されている。このように、電極体７００において、第一方向における長さが長いことで、第一方向に向けて大きな応力が生じるため、スペーサ８００によって第一方向に向く当該応力を分散させることによる効果は大きい。特に、電極体平坦面７１３、７１４のＸ軸方向の長さがＺ軸方向の長さよりも長く形成されている場合には、第一方向に向けてより大きな応力が生じるため、スペーサ８００によって第一方向に向く当該応力を分散させることによる効果はより大きい。これにより、電極体７００が膨張して、第一方向に大きな応力が生じても、スペーサ８００によって当該応力を分散させることができるため、電極体７００が損傷するのを抑制することができる。
【００７１】
また、電極体７００は、電極体本体部７１０に湾曲面が形成されて、電極体本体部７１０から突出するタブ部７２０、７３０に集電体５００が接続される構成を有している。ここで、例えば、電極体の湾曲面の端部が活物質層非形成部となって集電体５００が接続される構成の電極体（いわゆる縦巻きの電極体）の場合、当該湾曲面が凹んだりして変形しやすいため、当該湾曲面にスペーサ８００を密着させるのが困難である。このため、電極体７００の電極体本体部７１０に湾曲面が形成されて、電極体７００のタブ部７２０、７３０に集電体５００が接続される構成（いわゆる横巻きの電極体）にする。この構成により、電極体７００に集電体５００が接続されても湾曲面が変形しにくく、当該湾曲面をスペーサ８００に密着して当接させやすい。これにより、スペーサ８００で湾曲面を押さえやすいため、湾曲面の端部に応力が集中するのを抑制して、当該端部が損傷するのを抑制することができ、電極体７００が損傷するのを抑制することができる。
【００７２】
また、スペーサ８００は、第三方向から見て、電極体７００の湾曲面の５０％以上９０％以下の領域に連続して当接して配置される。このように、スペーサ８００を、電極体７００の湾曲面の５０％以上の領域に当接して配置することで、スペーサ８００の比較的広い面で当該湾曲面を押さえることができるため、電極体７００が膨張しても、応力を分散させることができる。また、スペーサ８００の当該湾曲面との接触領域を大きくし過ぎると、スペーサ８００の先端が尖ってしまい電極体７００を損傷させるおそれがあるため、スペーサ８００を、電極体７００の湾曲面の９０％以下の領域に当接するように形成する。これらにより、電極体７００が損傷するのを抑制することができる。
【００７３】
また、スペーサ８００は、電極体７００の湾曲面との当接部分から第一方向（湾曲面の突出方向）とは反対方向に延設されるスペーサ延設部８１６、８１７を有しているため、電極体７００が膨張した場合でも、電極体７００からの応力をスペーサ延設部８１６、８１７で受けることができる。これにより、電極体７００からの応力をスペーサ延設部８１６、８１７にも分散させることができるため、電極体７００が損傷するのを抑制することができる。
【００７４】
［５  変形例の説明］
（変形例）
次に、上記実施の形態の変形例について、説明する。図８は、本実施の形態の変形例に係るスペーサ８０１の構成を示す斜視図及び断面図である。具体的には、図８は、図４に対応する図である。
【００７５】
図８に示すように、本変形例におけるスペーサ８０１は、上記実施の形態におけるスペーサ８００に、通液路８３０が形成されたものである。その他の構成については、上記実施の形態と同様である。
【００７６】
通液路８３０は、Ｚ軸方向（第三方向）に貫通した電解液の通液路であり、Ｚ軸方向から見て、スペーサ湾曲面８１１から放射状に延びる複数の貫通孔８３１を有している。言い換えれば、通液路８３０は、Ｚ軸方向（第三方向）から見て、電極体湾曲面７１１から放射状に延びる複数の貫通孔８３１を有している。
【００７７】
貫通孔８３１は、スペーサ８０１のスペーサ端部８２０とスペーサ本体部８１０とを、Ｚ軸方向に貫通している。つまり、貫通孔８３１は、スペーサ本体部８１０のスペーサ湾曲面８１１、スペーサ第一面８１２、スペーサ第二面８１３、スペーサ第三面８１４及びスペーサ角部８１５に開口部を形成することなく、スペーサ８０１を貫通している。
【００７８】
なお、本変形例では、通液路８３０は、１０個の貫通孔８３１を有しているが、貫通孔８３１の個数は限定されず、１０個以外の複数個または１個であってもよい。貫通孔８３１の配置位置についても、特に限定されず、本変形例のように略均等の間隔で配置されていてもよいし、不規則に配置されていてもよい。貫通孔８３１の大きさ及び形状についても、特に限定されない。
【００７９】
以上のように、本変形例に係る蓄電素子によれば、上記実施の形態と同様の効果を奏することができる。特に、本変形例では、スペーサ８０１に、第三方向（Ｚ軸方向）に貫通した電解液の通液路８３０を形成する。つまり、スペーサ８０１を、容器１００の３つの壁部と電極体７００の湾曲面とに当接させて配置すると、電解液がスペーサ８０１を通過できずに、電解液の通液性が悪くなるおそれがあるため、スペーサ８０１に、電解液の通液路８３０を形成する。これにより、電解液の通液性を向上させることができる。つまり、通液路８３０内に電解液を流入させることで、電解液が容器１００内を移動しやすくなったり、通液路８３０内に余剰の電解液を溜めておいたりすることができる。
【００８０】
また、スペーサ８０１に形成した電解液の通液路８３０は、電極体７００の湾曲面から放射状に延びる複数の貫通孔８３１を有している。つまり、スペーサ８０１に電解液の通液路８３０を形成すると、通液路８３０の部分においては、電極体７００が膨張した際の応力をスペーサ８０１で十分に受けることができなくなるおそれがある。特に、電極体７００が膨張した際の応力は湾曲面から放射状に広がるため、通液路８３０として、電極体７００の湾曲面に沿うなど湾曲面から放射状でない方向に延びる貫通孔を形成すると、当該応力を十分に受けることができなくなる領域が大きくなる。これに対し、当該湾曲面から放射状に延びる複数の貫通孔８３１を形成することで、当該応力に対する強度を高めることができる。このため、通液路８３０として、湾曲面から放射状に延びる複数の貫通孔８３１を形成する。これにより、電極体７００が膨張しても、スペーサ８０１で応力を受けて当該応力を分散させることができるため、電解液の通液性を向上させつつ、電極体７００が損傷するのを抑制することができる。
【００８１】
（その他の変形例）
以上、本発明の実施の形態及びその変形例に係る蓄電素子について説明したが、本発明は、この実施の形態及びその変形例に限定されない。つまり、今回開示された実施の形態及びその変形例は全ての点で例示であり、本発明の範囲は上記した説明ではなくて特許請求の範囲によって示され、特許請求の範囲と均等の意味及び範囲内での全ての変更が含まれる。
【００８２】
例えば、上記実施の形態及びその変形例では、スペーサ湾曲面８１１は、Ｚ軸方向において、電極体湾曲面７１１に対向する部分の一端から他端までに亘って、連続して電極体湾曲面７１１に当接して配置されていることとした。しかし、スペーサ湾曲面８１１は、Ｚ軸方向において、電極体湾曲面７１１に対向する部分の一部が、電極体湾曲面７１１に当接して配置されていないことにしてもよい。ただし、スペーサ湾曲面８１１は、電極体湾曲面７１１のＺ軸方向における中央部分には、当接して配置されているのが好ましい。
【００８３】
また、上記実施の形態及びその変形例では、スペーサ第一面８１２は、全面が短側壁部１１１に当接して配置されていることとした。しかし、スペーサ第一面８１２は、Ｙ軸方向において、短側壁部１１１に対向する部分の一部が、短側壁部１１１に当接して配置されていないことにしてもよい。ただし、スペーサ第一面８１２は、短側壁部１１１のＹ軸方向における中央部分には、当接して配置されているのが好ましい。また、スペーサ第一面８１２は、Ｚ軸方向において、短側壁部１１１に対向する部分の一部が、短側壁部１１１に当接して配置されていないことにしてもよい。ただし、スペーサ第一面８１２は、短側壁部１１１のＺ軸方向における中央部分には、当接して配置されているのが好ましい。スペーサ第二面８１３についても同様に、Ｘ軸方向において長側壁部１１３に対向する部分の一部、または、Ｚ軸方向において長側壁部１１３に対向する部分の一部が、長側壁部１１３に当接して配置されていないことにしてもよい。ただし、スペーサ第二面８１３は、長側壁部１１３のＺ軸方向における中央部分には、当接して配置されているのが好ましい。スペーサ第三面８１４についても同様である。
【００８４】
また、上記実施の形態及びその変形例では、電極体湾曲面７１１は、Ｚ軸方向から見てＸ軸方向に突出する半円の円弧形状に湾曲した形状を有していることとした。しかし、電極体湾曲面７１１は、半円以外の円弧形状、または、長円もしくは楕円の一部等、種々の形状を取り得る。この場合、スペーサ湾曲面８１１も、電極体湾曲面７１１に対応する形状となる。
【００８５】
また、上記実施の形態及びその変形例では、電極体７００は、Ｘ軸方向における長さがＺ軸方向における長さよりも長くなるように形成されていることとした。しかし、電極体７００は、Ｘ軸方向における長さとＺ軸方向における長さとが同じ長さ、または、Ｘ軸方向における長さがＺ軸方向における長さよりも短くなるように形成されていることにしてもよい。
【００８６】
また、上記実施の形態及びその変形例では、電極体７００は、Ｚ軸方向の巻回軸を有し、極板が巻回されて形成された、いわゆる横巻きの巻回型電極体であることとした。しかし、電極体７００は、電極体湾曲面７１１を有する形状であればその構成は特に限定されず、例えば、Ｘ軸方向の巻回軸を有するいわゆる縦巻きの巻回型電極体であってもよいし、極板を蛇腹状に折り畳んだ蛇腹型の電極体、または、複数枚の平板状極板を積層したスタック型の電極体を湾曲させて湾曲面を形成したものであってもよい。
【００８７】
また、上記実施の形態及びその変形例では、正極側及び負極側の両方が、上記構成を有していることとした。しかし、正極側または負極側が上記構成を有していないことにしてもよい。
【００８８】
なお、上記実施の形態及び上記変形例を任意に組み合わせて構築される形態も、本発明の範囲内に含まれる。
【００８９】
また、本発明は、このような蓄電素子として実現することができるだけでなく、当該蓄電素子が備えるスペーサとしても実現することができる。
【産業上の利用可能性】
【００９０】
本発明は、リチウムイオン二次電池などの蓄電素子等に適用できる。
【符号の説明】
【００９１】
１０  蓄電素子
１００  容器
１１０  容器本体
１１１、１１２  短側壁部
１１３、１１４  長側壁部
５００  集電体
７００  電極体
７１０  電極体本体部
７１１、７１２  電極体湾曲面
７１３、７１４  電極体平坦面
７２０、７３０  タブ部
７４０  正極板
７４１、７５１  タブ
７５０  負極板
７６０ａ、７６０ｂ  セパレータ
８００、８０１  スペーサ
８１０  スペーサ本体部
８１１  スペーサ湾曲面
８１２  スペーサ第一面
８１３  スペーサ第二面
８１４  スペーサ第三面
８１６、８１７  スペーサ延設部
８３０  通液路
８３１  貫通孔
【図１】
2020068124.tif 000003
【図２】
2020068124.tif 000004
【図３】
2020068124.tif 000005
【図４】
2020068124.tif 000006
【図５】
2020068124.tif 000007
【図６】
2020068124.tif 000008
【図７】
2020068124.tif 000009
【図８】
2020068124.tif 000010